(57)【特許請求の範囲】
【請求項１】
直接スペクトル拡散受信機における局部発振器の周波数オフセットを補正するオフセット補正方法であって、
受信データと局部的に格納した同期符号との第１の相関を求める第１のステップと、
所定の位相ステップにより前記受信データの位相を調整する第２のステップと、
前記位相調整した受信データと前記格納された同期符号との第２の相関をさらに求める第３のステップと、
前記第１の相関及び前記第２の相関のいずれが最大相関ピークを与えるかを判定する第４のステップと、
前記判定により選択された前記最大相関ピークに対応する信号を格納する第５のステップと、
前記格納した信号から、前記局部発振器に適用するオフセットを推定する第６のステップと、
前記推定したオフセットを前記局部発振器に適用する第７のステップとを備え、
前記第５のステップにて、前記最大相関ピークに対応する前記信号を格納してから、前記第７のステップにて、前記オフセットを前記局部発振器に適用する前に、前記第２乃至第５のステップを実行して、同じ大きさの前記位相ステップで、前記受信データの位相調整を繰り返して前記最大相関ピークを改善し、前記最大相関ピークが何ら改善を示さなくなると、前記位相ステップの大きさを小さくして、再び、前記受信データの位相調整を繰り返すことを特徴とするオフセット補正方法。
【請求項２】
直接スペクトル拡散受信機における局部発振器の周波数オフセットを補正するオフセット補正装置であって、
受信データと局部的に格納した同期符号との第１の相関を求める第１の手段と、
所定の位相ステップにより前記受信データの位相を調整する第２の手段と、
前記位相調整した受信データと前記格納された同期符号との第２の相関をさらに求める第３の手段と、
前記第１の相関及び前記第２の相関のいずれが最大相関ピークを与えるかを判定する第４の手段と、
前記判定により選択された前記最大相関ピークに対応する信号を格納する第５の手段と、
前記格納した信号から、前記局部発振器に適用するオフセットを推定する第６の手段と、
前記推定したオフセットを前記局部発振器に適用する第７の手段とを備え、
前記第５の手段が、前記最大相関ピークに対応する前記信号を格納してから、前記第７の手段が、前記オフセットを前記局部発振器に適用する前に、前記第２乃至第５の手段が連携作動して、同じ大きさの前記位相ステップで、前記受信データの位相調整が繰り返されて、前記最大相関ピークが改善され、前記最大相関ピークが何ら改善を示さなくなると、前記位相ステップの大きさを小さくして、再び、前記受信データの位相調整が繰り返されることを特徴とするオフセット補正装置。
【請求項３】
前記直接スペクトル拡散受信機には、少なくとも電話機、及び携帯電話機が含まれることを特徴とする請求項１記載のオフセット補正方法。
【請求項４】
前記直接スペクトル拡散受信機には、少なくとも電話機、及び携帯電話機が含まれることを特徴とする請求項２記載のオフセット補正装置。
【請求項５】
コンピュータに請求項１記載のオフセット補正方法を実行させることを特徴とする制御プログラム。
【請求項６】
コンピュータを、請求項２記載のオフセット補正装置として機能させることを特徴とする制御プログラム。
【発明の詳細な説明】
【０００１】
【発明の属する技術分野】
この発明は、直接スペクトル拡散通信（ＤＳＳ）システムにおいて周波数オフセットを評価するオフセット補正方法及び装置に係り、特に、現在提案されている世界移動通信システム（ＵＭＴＳ）のような広帯域符号分割多元接続（ＷＣＤＭＡ）ネットワークにおけるオフセット補正に適用できるオフセット補正方法及び装置に関する。
【０００２】
【従来の技術】
セルラ通信システムでは、ネットワーク基地局からの送信タイミングや周波数の精度は、極めて安定した、高精度の基準発振器に依存する。ＵＭＴＳ(Universal Mobile Telecommunication System)のようなシステムや他の移動電話システムには、一定数の、相対的に少ない数のネットワーク基地局があるため、基準発振器及びネットワーク基地局も相対的に高価となり、高精度のものとなる。例えば、標準的な精度は０．０５ｐｐｍであり、さらに高精度な発振器も使用できる。
【０００３】
【発明が解決しようとする課題】
しかしながら、一般的に、かかるシステムには、ネットワーク基地局と通信を行う、さらに多くの移動局が存在する。ＵＭＴＳのようなシステムにおける移動電話機は、競争可能な市場価格で販売することを余儀なくされることで、コストを最小限にする必要がある。従って、通常、移動局の基準発振器には、電圧制御水晶発振器（ＶＣＸＯ）といった低価格の基準発振器が選ばれる。これら低価格の基準発振器の周波数精度は、相対的に低く、例えば、５ｐｐｍである。
【０００４】
移動局の発振器は、より高精度の基準発振器を持つ基地局で使用できるものよりも、その精度が低いため、基地局の送信と、ダウン・コンバージョンに使用する、局部的に生成されたキャリア周波数との間における同期に重大な問題が発生しうる。
【０００５】
この発明は、上述の事情に鑑みてなされたもので、周波数オフセットを補正して、局部発振器の誤差を少なくするオフセット補正方法及び装置を提供することを目的とする。
【０００６】
【課題を解決するための手段】
上記課題を解決するために、この発明の第１の構成は、直接スペクトル拡散受信機における局部発振器の周波数オフセットを補正するオフセット補正方法に係り、受信データと局部的に格納した同期符号との第１の相関を求める第１のステップと、所定の位相ステップにより前記受信データの位相を調整する第２のステップと、前記位相調整した受信データと前記格納された同期符号との第２の相関をさらに求める第３のステップと、前記第１の相関及び前記第２の相関のいずれが最大相関ピークを与えるかを判定する第４のステップと、前記判定により選択された前記最大相関ピークに対応する信号を格納する第５のステップと、前記格納した信号から、前記局部発振器に適用するオフセットを推定する第６のステップと、前記推定したオフセットを前記局部発振器に適用する第７のステップとを備え、前記第５のステップにて、前記最大相関ピークに対応する前記信号を格納してから、前記第７のステップにて、前記オフセットを前記局部発振器に適用する前に、前記第２乃至第５のステップを実行して、同じ大きさの前記位相ステップで、前記受信データの位相調整を繰り返して前記最大相関ピークを改善し、前記最大相関ピークが何ら改善を示さなくなると、前記位相ステップの大きさを小さくして、再び、前記受信データの位相調整を繰り返すことを特徴としている。
【０００７】
また、この発明の第２の構成は、直接スペクトル拡散受信機における局部発振器の周波数オフセットを補正するオフセット補正装置に係り、受信データと局部的に格納した同期符号との第１の相関を求める第１の手段と、所定の位相ステップにより前記受信データの位相を調整する第２の手段と、前記位相調整した受信データと前記格納された同期符号との第２の相関をさらに求める第３の手段と、前記第１の相関及び前記第２の相関のいずれが最大相関ピークを与えるかを判定する第４の手段と、前記判定により選択された前記最大相関ピークに対応する信号を格納する第５の手段と、前記格納した信号から、前記局部発振器に適用するオフセットを推定する第６の手段と、前記推定したオフセットを前記局部発振器に適用する第７の手段とを備え、前記第５の手段が、前記最大相関ピークに対応する前記信号を格納してから、前記第７の手段が、前記オフセットを前記局部発振器に適用する前に、前記第２乃至第５の手段が連携作動して、同じ大きさの前記位相ステップで、前記受信データの位相調整が繰り返されて、前記最大相関ピークが改善され、前記最大相関ピークが何ら改善を示さなくなると、前記位相ステップの大きさを小さくして、再び、前記受信データの位相調整が繰り返されることを特徴としている。
【０００８】
また、この発明の第３の構成は、制御プログラムに係り、コンピュータに上記第１の構成のオフセット補正方法を実行させることを特徴としている。
また、この発明の第４の構成は、制御プログラムに係り、コンピュータを、上記第２の構成のオフセット補正装置として機能させることを特徴としている。
【００１２】
【発明の実施の形態】
以下、図面を参照して、この発明の一実施の形態について説明する。この発明の実施の形態が提供する、上記課題の解決方法については、ＵＭＴＳを参照して説明する。しかし、この発明は、ＵＭＴＳという送信基準に限定されるものではなく、いかなる広帯域符号分割多元接続（ＷＣＤＭＡ:Wideband Code Division Multiple Access）システムにも適用できる。
【００１３】
最初にＵＭＴＳについて、その概略を説明する。ＵＭＴＳでは、移動局と信号を送受信する基地局は、非同期である。基地局からの送信は、それらを受信する移動局によって、局部的に同期がとられている必要がある。これは、移動ユニットに電源が投入される際に、最初のセル検索において実行される。
【００１４】
ＵＭＴＳの送信信号は、連続するフレームで構成される。また、受信信号は、複数の連続するスロットのデータからなり、そのデータの少なくとも１つが同期データからなる。各フレームは、例えば、１５個のスロットを有し、その各々に、使用されるデータ速度で情報が格納されている。各スロットは、複数のシンボルを含んでおり、各シンボルは、２ビットで構成されている。これらの２ビットを使うことで、４位相偏移変調を使用した４つの状態を送信できる。従って、１０個のシンボル・スロットは、２０ビットで構成される。
【００１５】
基地局からの送信は、スロットの境界に位置を合わせた同期チャネル（ＳＣＨ:synchronization channel）と、一次共通制御物理チャネル（ＰＣＣＰＣＨ:primary common control physical channel）を含んでいる。これらのチャネルには、１０個のシンボル・スロットがある。同期チャネルは、図２に示すように、一次同期符号（ＰＳＣ:primary synchronization channel）と二次同期符号（ＳＳＣ:secondary synchronization channel）で構成される。これらは、最初のセル検索で使用される。
【００１６】
移動局による最初のセル検索は、３つのステップで実行される。これらの内、最初のステップは、基地局の送信にスロット同期して、移動局の受信機において最強の信号を与えることである。図１は、基地局の同報送信部１、送信チャネル２、移動局の受信部３を概略的に示している。この例では、２つの基地局（ＢＴＳ１，ＢＴＳ２）からの送信を示している。
【００１７】
基地局の送信は、互いに同期しておらず、上述したスロットとシンボルからなるフレームが送信される。スロットとシンボルに対する時間間隔は一定である。図１において、ＢＴＳ２からの送信に対するスロットの開始が、ＢＴＳ１からの送信に対するスロットの開始よりも、任意の時間ｔだけ遅れている。
【００１８】
基地局ＢＴＳ１，ＢＴＳ２から受信部３への送信は、チャネル２の影響を受ける。ＢＴＳ２からの送信は、３パス（マルチパス）チャネルを通して受信され、ＢＴＳ１の送信は、２パス・チャネルを通して受信されるようになっている。チャネル２があることで、ＢＴＳ１及びＢＴＳ２から受信部３へ信号が渡され、そこで加算される。受信部に格納された予想される一次同期符号を使用して、移動局の受信部が行う受信信号についての相関は、複数の相関ピークを与える。検出される最大のピークは、受信部が同期しているネットワークの基地局に対応する。
【００１９】
相関は、１つのスロットに対して行われ、その結果は、バッファに保持される。そして、複数のスロットについての結果が加算される。ノイズや干渉を削減して、何らかの検出があれば、相関がピークになる。
【００２０】
最初のセル検索の第２のステップで、フレーム同期を確立して、ステップ１で見つけた基地局の符号グループを識別する。最初のセル検索の第３のステップでは、見つけた基地局に割り振られたスクランブル符号を識別する。これら第２、第３のステップの詳細は、本発明に関係しないため、ここでは、詳細に述べないが、当業者には明らかである。
【００２１】
移動局の受信部におけるダウン・コンバージョンでは、受信信号がダウン・コンバートされる正確な周波数は、送信側における周波数と全く同じではない。これは、局部発振器の不正確さからくるもので、このことは、上述したように、その発振器のコストが、基地局で使用しているものより低価格であることに起因している。周波数オフセットがあれば、相関ピークの高さは、減少する。また、そのオフセットが著しければ、相関ピークはノイズと干渉に埋もれてしまい、スロットの境界に同期できなくなる。
【００２２】
局部発振器の誤差は、この周波数オフセットの一つの原因であり、この発明の好適な実施の形態は、これを補正することを目的とする。この発明の好適な実施の形態は、直接スペクトル拡散通信の受信機での初期セル検索の期間において、周波数オフセットを補正する方法及び装置を提供する。受信信号は、複数の連続する一連のデータからなり、その内の少なくとも一つが、同期データを含んでいる。この受信データと局部的に格納された同期符号との相関をとる。その結果、受信データの位相調整が行われ、さらに、この位相調整されたデータと、局部的に格納された符号との相関を求める。そして、最強の相関ピークが決定され、局部発振器に対する位相オフセットを推定して、それを局部発振器に適用する。
【００２３】
ここで説明する、この発明の実施の形態は、ＵＭＴＳネットワーク内で周波数分割多重（ＦＤＤ）モードで動作する移動局において実行される初期セル検索に適用できる。ＵＭＴＳのセル検索性能は、キャリア周波数とサンプリング周波数のオフセットによって低下する。実際は、キャリア周波数とサンプリング周波数の両方とも、基準発振器（通常は、ＶＣＸＯ）の周波数より得られる。キャリア周波数（ｆｃ）とサンプリング・クロック周波数（ｆｓｍｐ）は、それぞれ式（１）,（２）で表される。これらの式における項ｋ１，ｋ２は定数であり、ｆｘは、移動局の基準発振器より供給される基準周波数である。
【００２４】
ｆｃ＝ｋ１×ｆｘ              ・・・・・・・・・（１）
ｆｓｍｐ＝ｋ２×ｆｘ          ・・・・・・・・・（２）
【００２５】
式（１）,（２）は、水晶発振器で生成された基準周波数の誤差が、キャリア周波数とサンプリング周波数の誤差に転換される様子を示している。ｐｐｍ（parts per million）で表現すると、同じ誤差が、３つの周波数ｆｘ，ｆｃ，ｆｓｍｐ各々に適用される。例えば、所望のキャリア周波数２ＧＨｚと、サンプリング・クロック周波数１５．３６ＭＨｚに対して、（ｆｘにおける）１ｐｐｍの誤差は、キャリア周波数において２ＫＨｚのオフセットに相当し、サンプリング・クロック周波数における１５．３６Ｈｚのオフセットに相当する。
【００２６】
広帯域符号分割多元接続（ＷＣＤＭＡ）のセル検索に関し、キャリア周波数のオフセットにより、受信複合信号の連続した位相変異が起こる。サンプリング・クロック周波数のオフセットによって、極めて重要なシステム・タイミングの誤検出が生じる。サンプリング・クロック周波数におけるオフセットの影響はどれも、多数のスロットの信号を処理した後にのみ判明する。
【００２７】
キャリア周波数のオフセットがもたらす位相回転によって、信号パワー対ノイズ＋干渉パワーの受信比が減少し、結果として、タイミングの誤検出となる確率が高くなる。よって、キャリア周波数とサンプリング・クロック周波数双方のオフセットにより、ＵＭＴＳのセル検索プロセスの全３ステップに性能低下が生じる。
【００２８】
周波数の誤差で生じるセル検索性能の損失は、セル検索プロセスの第１のステップの間において、はっきりと認められる。サンプリング・クロックのオフセットによって、スロット境界の検出に誤りが生じる。つまり、誤った場所でスロット境界の位置合わせが行われる。スロット境界の位置誤りが１チップ期間よりも大きければ、残りのセル検索ステップで得られる結果にも誤りが発生する。しかし、実際の周波数の誤差に対して、サンプリング・クロックの誤差による１チップのずれは、長い時間間隔で観測される。
【００２９】
従って、サンプリング・クロックの誤差は、キャリア周波数のオフセットに比べて、さほど重要ではない。キャリア周波数におけるオフセットの影響は直ちに判定できるため、これらの影響を測定し、それらを利用して基準周波数を補正できる。基準周波数の誤差が小さくなれば、キャリア周波数とサンプリング・クロック周波数両方のオフセットもまた小さくなる。
【００３０】
ここに示す方法は、ダウン・コンバージョンに使用する局部発振器の周波数の誤差によって、ダウン・コンバージョンにおいて受信一次同期符号に与えられた、差動位相オフセットに基づいている。その結果としての位相オフセットの測定を使用して、基準発振器の周波数を補正する。基地局によって送信される複合ベースバンド信号は、以下のように表現できる。
【００３１】
【数１】
0004710210.tif 000002
【００３２】
ここで、Ａ（ｔ），θ（ｔ）は、それぞれ、その信号の大きさ、及び位相である。また、送信信号は、フェージング・パスを介して受信された場合、以下の式で表現される。
【００３３】
【数２】
0004710210.tif 000003
【００３４】
ここで、Δωは、ラジアン毎秒で表されるキャリア周波数のオフセットであり、φ（ｔ）は、ドップラー偏移によるランダム位相（ラジアン毎秒）、そして、σ（ｔ）は、ノイズと干渉によるランダム位相である。信号エンベロープのばらつきは、β（ｔ）で表される。
【００３５】
ＵＭＴＳセル検索の第１のステップにおいて、受信信号の同相（Ｉ）成分、及び直交（Ｑ）成分は、一次同期符号と相関がとられる。局部一次同期符号が、受信したＰＣＣＰＣＨ＋ＳＣＨタイムスロットの最初のシンボル（すなわち、スロット境界）と位置が合っている場合、送信信号は、以下の式で表される。なお、ここで、Ｍは定数である。
【００３６】
【数３】
0004710210.tif 000004
【００３７】
対応する受信信号と、受信部に格納された局部一次同期符号との相関は、式（５）で示される。なお、Ｔは相関期間である。
【００３８】
【数４】
0004710210.tif 000005
【００３９】
式（５）は、スロット境界における局部一次同期符号と受信信号との相関を表している。局部一次同期符号が既知の信号であるため、キャリア周波数のオフセットは、受信した一次同期符号の位相の変化を測定することで推定できる。簡単のため、ドップラーとノイズ＋干渉の影響を無視すると、式（５）は、以下のように変形することができる。
【００４０】
【数５】
0004710210.tif 000006
【００４１】
そこで、相関のピークは、上記の積分の累乗を求めると分かる。受信ＰＳＣや局部的に生成されたＰＣＳの位置が揃っている場合、Ｍ２＝１と置けるので、以下の関係式が相関パワーを表している。
【００４２】
【数６】
0004710210.tif 000007
【００４３】
図３に描かれたグラフは、式（７）から導出されたもので、相関パワーに対する、１ＰＳＣ（ＵＭＴＳのＦＤＤモードにおける２５６チップ）の相関期間におけるキャリア周波数オフセット（ｐｐｍ）の値を示している。
【００４４】
なお、図４は、周波数オフセットがないときの全相関の結果であり、図５は、周波数オフセットが５ｐｐｍのときの全相関の結果を示している。また、図６は、周波数オフセットが７．５ｐｐｍのときの全相関の結果を示している。
【００４５】
上述したように、キャリア周波数のオフセットの大きさは、それが、移動局の受信部における受信ＰＳＣ信号と局部ＰＳＣとの相関に与える影響を検出することで推定できる。キャリア周波数のオフセット値が大きいことは、相関パワーの値が小さいことに対応する。よって、相関プロセスは、受信信号のスロットごとに適用し、平均化して、複数の受信スロットの処理をすることによって、一連の平均相関パワーを与える。最大の平均パワーが最大の（平均）ピークに対応する。これを選択し、スロット境界の位置に対する基準として保存する。
【００４６】
基地局の局部発振器からのオフセットを決定するため、受信しダウン・コンバートした信号の位相をΔωｚｔだけ、変更する。ここで、Δωｚは、一連の所定値からの周波数シフトであり、ｔは時間である。
【００４７】
位相シフトした入力信号を持つ同一の受信データと、評価後の最良相関ピークの平均パワーに対する相関プロセスを、局部ＰＳＣを使用して再度、実行する。このプロセスは、全ての可能な周波数シフトに対して繰り返され、また、個々の場合における最良の相関パワーが互いに比較され、かつ基準との比較も行われる。最大の相関パワーを使用して基準を置き換え、対応する周波数シフトがアキュムレータに加えられる。この位相をシフトするプロセスは、位相シフトされた受信信号が、基準となる相関パワーを超える相関パワーを生成しなくなったならば、終了する。よって、位相シフトは、最近適用された位相シフトの結果が、基準相関パワーに比べて相関パワーの低下となるまで、一つずつ実行される。
【００４８】
良好なキャリア周波数オフセットを推定するため、位相シフトは、同一受信信号に何度も何度も、繰り返して行われる。最終的に蓄積された位相シフトによって、オフセットの推定が保留状態となり、それを使用して、基準発振器の周波数を補正できる。
【００４９】
図７は、上記の反復位相調整のプロセスが、どのようにして行われるかを示すフローチャートである。同図において、データ捕捉を行うステップＳ２０で、サンプル・データが供給され、それが（２５６チップ以上）、全相関を行うステップＳ２２に渡される。これにより、ピーク選択を行うステップＳ２４へデータが渡る。このステップ２４では、相関中の最大ピークを探し、それがステップＳ２６の処理（基準設定）に送られる。ステップＳ２６で、この最大ピークの位置とパワーを格納する。次のステップＳ２８では、オフセット推定のアキュムレータを０に設定する。
【００５０】
次にシーケンスは、反復処理を行う段階に入る。ここでは、データ捕捉をしたステップＳ２０からの元データに対して、最初の位相シフト・ステップを用いて、位相シフトが行われる（ステップＳ３０）。その後、ステップＳ３２において、位相シフトしたデータと、格納されたＰＳＣとの全相関がとられ、ステップＳ３４において、最大パワー・ピークが選択される。そして、このピークは、基準変更処理ステップであるステップＳ３６に渡される。このステップでは、最近選択されたピークが、格納されているピークよりも値が高ければ、ステップＳ２６で格納された基準を変更する。適用対象となる周波数処理ステップがさらにあれば、プロセスをステップＳ３０に戻して、相関ステップ、及び選択ステップにおいてデータへの周波数処理を行い、可能な基準変更ステップをも実行する。
【００５１】
全ての周波数処理ステップが実行された場合、プロセスをオフセット推定の累積処理に移行させ、そこにおいて、最近格納された基準ピークを得るために必要な位相シフトを蓄積する。この基準ピークが元の基準ピークと異なる場合、プロセスをステップＳ３０に戻す。そして、このステップＳ３０で、さらに位相シフトのシーケンスを実行して、オフセットがさらに改善したかどうかを判定する。オフセットに改善がなかったり、あるいは、第２のループ（図７のループ２）が、所定回数循環して、そのループ・カウンタが０になっていれば、オフセット推定の累積内容を位相シフトとして、基準発振器に適用する（ステップＳ４０における、基準への補償の適用）。
【００５２】
このプロセスによって反復して適用される位相シフトは、全て大きさが同じである。これに代えて、選択された最大の平均パワーが何ら改善を示さなくなるまで、同じ位相シフトを繰り返し適用するように、プロセスを構成することもできる。このようにすれば、最後の位相シフトを除去して、より小さい位相シフトを適用できる。このプロセスは、大きさを小さくしながら、所定回数の位相シフトを継続して行う。
【００５３】
図８は、この発明の実施の形態に係る装置の構成を示すブロック図である。同図において、ダウン・コンバータ５０は、入力されたＲＦ／ＩＦデータを、局部発振器（ＬＯ）５２からの信号を乗算器５４において定数Ｋ１で乗じて得た周波数でダウン・コンバートする。ダウン・コンバートされたデータは、サンプリング・ユニット５６に送られる。このユニット５６は、局部発振器５２からの周波数を乗算器５８において定数Ｋ２で乗算したサンプリング周波数によって制御される。
【００５４】
サンプリングされたデータは、データ捕捉ユニット６１を介して、位相シフタ６０へ送られる。位相シフタ６０は、データを相関器６２へ送る前に、最初にそのデータに対してゼロ位相シフトを行う。相関器６２は、位相シフト後のデータと、一次同期符号格納部６４に格納されたデータとの相関をとる。相関結果は、ピーク選択部６６に渡され、このピーク選択部６６は、最大パワーを持ったピークを探す。そのピークは、基準格納部６８に格納される。ピークの選択によって、位相シフタ６０に制御信号を送ることで、あらかじめ所定のステップによって相関器６２に供給されたデータの位相シフトが位相シフタ６０により行われ、また、相関器６２による相関、及びピーク選択部６６によるピーク選択が再度、実行されるようにする。
【００５５】
最近の相関から選択されたピークが、基準格納部６８に格納されたピークよりも大きければ、その格納内容を置き換える。その後、位相シフタ６０は、データに対して、さらに位相シフトを行い、そして、そのプロセスを繰り返すよう制御される。これは、ループ・カウンタが０になるまで、所定回数、続けられる。そして、ループ・カウンタが０になった段階で、得られた位相シフトがオフセット推定アキュムレータ７０に適用される。
【００５６】
各位相シフトの適用によって、相関による最大ピークのパワーに改善があれば、位相シフタ６０により、さらに一連の位相シフトを行うとともに、全プロセスを再度、繰り返す。この全体のプロセスは、一連の完全な位相シフトが行われる回数をカウントするカウンタを備えることで、所望の回数、繰り返すことができる。一連の完全な位相シフト各々が行われた後、ピークを示す位相シフトにより最大ピーク・パワーに改善があれば、最も新しい位相シフトがオフセット推定アキュムレータ７０に加えられる。
【００５７】
全ループが終わると、オフセット推定アキュムレータ７０からのオフセット位相推定が局部発振器５２に適用されるため、その後、その結果がダウン・コンバータ５０、及びサンプリング・ユニット５６で使用される。そして、プロセスは、セル検索ユニット７２におけるセル検索に移行する。
【００５８】
なお、上述した実施の形態に係る移動電話機（移動局）は、所定の制御プログラムに従って、その移動電話機の構成各部を制御する不図示のプロセッサ（ＣＰＵ）と、そのＣＰＵが実行する制御プログラムが格納されたＲＯＭ（不図示）と、ＣＰＵの作業領域（ワークエリア）として各種データを格納するためのＲＡＭ（不図示）等を備えている。
【００５９】
以上、この発明の実施の形態を図面により詳述してきたが、具体的な構成は、この実施の形態に限られるものではなく、この発明の趣旨を逸脱しない範囲における種々の設計変更等も、この発明に含まれる。例えば、上述した移動局や移動受信機には、電話機や携帯電話機が含まれる。
【００６０】
【発明の効果】
以上説明したように、この発明の構成によれば、受信データと局部的に格納した同期符号との相関を求め、所定の位相ステップにより位相調整したデータと格納された同期符号との相関をさらに求め、これらの相関のいずれが最大相関ピークを与えるかを判定した結果に基づいて、局部発振器に適用するオフセットを推定することで、周波数オフセットが補正されて、局部発振器の誤差を少なくすることができる。
【図面の簡単な説明】
【図１】この発明の実施の形態に係る基地局から受信機への送信構成を示す図である。
【図２】実施の形態に係る基地局から送信される同期チャネルの構成を示す図である。
【図３】実施の形態に係る相関パワーに対する全相関及び部分相関の周波数オフセットを示す図である。
【図４】実施の形態に係る周波数オフセットがないときの全相関の結果を示す図である。
【図５】実施の形態に係る周波数オフセットが５ｐｐｍのときの全相関の結果を示す図である。
【図６】実施の形態に係る周波数オフセットが７．５ｐｐｍのときの全相関の結果を示す図である。
【図７】実施の形態において反復位相調整のプロセスが、どのようにして行われるかを示すフローチャートである。
【図８】この発明を適用した装置の構成を示すブロック図である。
【符号の説明】
１    送信部
２    チャネル
３    受信部
５０    ダウン・コンバータ
５２    局部発振器（ＬＯ）
５４，５８    乗算器
５６    サンプリング・ユニット
６０    位相シフタ（位相を調整する手段）
６１    データ捕捉ユニット
６２    相関器（第１の相関を求める手段、第２の相関を求める手段）
６４    一次同期符号格納部
６６    ピーク選択部（最大相関ピークを判定する手段）
６８    基準格納部
７０    オフセット推定アキュムレータ（オフセットを推定する手段）
【図１】
0004710210.tif 000008
【図２】
0004710210.tif 000009
【図３】
0004710210.tif 000010
【図４】
0004710210.tif 000011
【図５】
0004710210.tif 000012
【図６】
0004710210.tif 000013
【図７】
0004710210.tif 000014
【図８】
0004710210.tif 000015